(57)【要約】Ｅ−フィールド・プローブは１つ以上のダイポールを有し、各ダイポールは、プリント基板（６２，６４）の一区画（６２）に取付けられ電気的に接続されるディスクリート抵抗の複数の平行な列を有する。平行な列は、配向対称性を最適にして浮遊フィールドを拾うことを最小化するために相互に撚り合わされる。それぞれの抵抗の抵抗値は、ダイポールが本質的に非常に広い周波数帯で優れた性能が得られるテーパ型抵抗ダイポールとなるように選択される。ダイポールのアームの平行な列とそれぞれに接続される一対のダイオード（５８，６０）を設けることで、ダイオードが配置されるアームの外端部から延び比較的高い抵抗値である、一対の平行な一連の抵抗によりフィーダを構成することができる。ダイポールは、中心でフィードされるのではなく、事実上「端でフィード」され、パターンの歪み及び軸非対称性が最小化される。
2005505962.tif 000002
【特許請求の範囲】
【請求項１】
少なくとも１つの細長い要素を有し、少なくとも前記要素の全長の一部分が、互いに実質的に平行に並べて配置されている複数の接近結合された伝導体（ａ，ｂ）からなる、フィールド・プローブ。
【請求項２】
前記細長い要素の接近結合された伝導体の数が２つである、請求項１のフィールド・プローブ。
【請求項３】
前記細長い要素が、前記細長い要素の中間位置であるダイポールの中心から正逆両方向に延びる２つの伝導要素（１０，１２及び１４，１６）からなるダイポールアンテナであり、前記伝導要素の少なくとも１つが前記少なくとも１つの細長い要素の全長の一部分により構成され、実質的に平行に並んで配置され前記中間位置から端位置に延びる２つの接近結合された伝導体（ａ，ｂ）からなり、前記端位置に２つのターミナルが設けられ、一方の該ターミナルが一方の前記伝導体の端に、他方の前記ターミナルが他方の前記伝導体の隣合った端に設けられており、処理回路（５４）と、第１及び第２の両端部を有する伝送線（４２，４４，４６，４８，５０，５２）を有し、前記伝送線の第１端部が前記処理回路に接続され、前記伝送線の第２端部が前記ダイポールアンテナに前記ターミナルで直接接続されており、前記２つの接近結合された伝導体が前記中間位置において一対のダイオード（５８，６０）により相互に接続されており、該ダイオードが該ダイオードを直列に接続させる結線（３０）を有し、他方の前記伝導要素が前記結線に直接接続されている、請求項１のフィールド・プローブ。
【請求項４】
前記細長い要素が、前記細長い要素の中間位置であるダイポールの中心から正逆両方向に延びる２つの抵抗要素（１０，１２及び１４，１６）からなるダイポールアンテナであり、前記抵抗要素の少なくとも１つ（１４，１６）が前記少なくとも１つの細長い要素の全長の一部分により構成され、実質的に平行に並んで配置され前記中間位置から端位置に延びる２つの接近結合された抵抗器（ａ，ｂ）からなり、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線の第１端部が前記処理回路に接続され、前記伝送線の第２端部が前記ダイポールアンテナに前記ターミナルで直接接続されており、前記２つの接近結合された抵抗器が前記中間位置において一対のダイオード（５８，６０）により相互に接続されており、該ダイオードが該ダイオードを直列に接続させる結線（３０）を有し、他方の前記伝導要素が前記結線に直接接続されている、請求項１のフィールド・プローブ。
【請求項５】
前記細長い要素が、前記細長い要素の中間位置であるダイポールの中心から正逆両方向に延びる２つの抵抗要素（１０，１２及び１４，１６）からなるダイポールアンテナであり、前記抵抗要素の少なくとも１つ（１４，１６）が前記少なくとも１つの細長い要素の全長の一部分により構成され、実質的に平行に並んで配置され２つの接近結合された抵抗器からなり、各前記抵抗器が直列に接続された複数のディスクリート抵抗（ａ，ｂ）からなり、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が前記中間位置において一対のダイオード（５８，６０）により相互に接続されており、該ダイオードが該ダイオード（５８，６０）を直列に接続させる結線（３０）を有し、他方の前記伝導要素が前記結線に直接接続されている、請求項１のフィールド・プローブ。
【請求項６】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗（ａ，ｂ）からなり、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が前記中間位置において一対のダイオード（５８，６０）により相互に接続されており、該ダイオードが該ダイオード（５８，６０）を直列に接続させる結線（３０）を有し、他方の前記伝導要素が前記結線に直接接続され、前記抵抗の抵抗値が前記中間位置からの距離とともに累進的に増加する、請求項１のフィールド・プローブ。
【請求項７】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗（ａ，ｂ）からなり、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が前記中間位置において一対のダイオード（５８，６０）により相互に接続されており、該ダイオードが該ダイオード（５８，６０）を直列に接続させる結線（３０）を有し、他方の前記伝導要素が前記結線に直接接続され、前記２つの接近結合された抵抗器が相互に撚り合わされている、請求項１のフィールド・プローブ。
【請求項８】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗（ａ，ｂ）からなり、前記両抵抗器の抵抗が単一のプリント基板（６２，６４）に取付けられ、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が前記中間位置において一対のダイオード（５８，６０）により相互に接続されており、該ダイオードが該ダイオード（５８，６０）を直列に接続させる結線（３０）を有し、他方の前記伝導要素が前記結線に直接接続され、前記２つの接近結合された抵抗器が相互に撚り合わされ、前記基板（６２，６４）の両面に各列の前記抵抗が交互に取付けられている、請求項１のフィールド・プローブ。
【請求項９】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗（ａ，ｂ）からなり、前記両抵抗器の抵抗が単一のプリント基板（６２，６４）に取付けられ、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が前記中間位置において一対のダイオード（５８，６０）により相互に接続されており、該ダイオードが該ダイオード（５８，６０）を直列に接続させる結線（３０）を有し、他方の前記伝導要素が前記結線に直接接続され、前記２つの接近結合された抵抗器が相互に撚り合わされ、前記プリント基板（６２，６４）の両面に各列の前記抵抗が交互に取付けられ、各前記抵抗が相互に間隔を置いて配置された一対のターミナルを有し、前記プリント基板（６２，６４）の各面にある前記抵抗が前記細長い要素の延長方向に平行に一列に配置され、前記プリント基板（６２，６４）の各面にある前記複数対の抵抗の端部が、前記細長い要素の延長方向に対し斜めに傾いて平行線上に配置され、各列の前記抵抗が、前記プリント基板（６２，６４）面に対して直角に前記プリント基板（６２，６４）を通って延びる実質的にまっすぐな伝導体（１８，２０，２２，２４）によって相互に接続されている、請求項１のフィールド・プローブ。
【請求項１０】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗からなり、前記両抵抗器の抵抗が単一のプリント基板（６２，６４）に取付けられ、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が相互に撚り合わされ、前記プリント基板（６２，６４）の両面に各列の前記抵抗が交互に取付けられている、請求項１のフィールド・プローブ。
【請求項１１】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗からなり、前記両抵抗器の抵抗が単一のプリント基板（６２，６４）に取付けられ、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が相互に撚り合わされ、前記プリント基板（６２，６４）の両面に各列の前記抵抗が交互に取付けられ、各前記抵抗が相互に間隔を置いて配置された一対のターミナルを有し、前記プリント基板（６２，６４）の各面にある前記抵抗が前記細長い要素の延長方向に平行に一列に配置され、前記プリント基板（６２，６４）の各面にある前記複数対の抵抗の端部が、前記細長い要素の延長方向に対し斜めに傾いて平行線上に配置され、各列の前記抵抗が、前記プリント基板（６２，６４）面に対して直角に前記プリント基板（６２，６４）を通って延びる実質的にまっすぐな伝導体（１８，２０，２２，２４）によって相互に接続されている、請求項１のフィールド・プローブ。
【請求項１２】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗からなり、前記両抵抗器の抵抗が単一のプリント基板（６２，６４）に取付けられ、前記２つの接近結合された抵抗器が相互に撚り合わされ、前記プリント基板（６２，６４）の両面に各列の前記抵抗が交互に取付けられ、前記中間位置からの距離とともに、前記抵抗の抵抗値が累進的に増加する、請求項１のフィールド・プローブ。
【請求項１３】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗からなり、前記両抵抗器の抵抗が単一のプリント基板（６２，６４）に取付けられ、前記２つの接近結合された抵抗器が相互に撚り合わされ、前記プリント基板（６２，６４）の両面に各列の前記抵抗が交互に取付けられ、前記抵抗の抵抗値が前記中間位置からの距離とともに累進的に増加し、各前記抵抗が相互に間隔を置いて配置された一対のターミナルを有し、前記プリント基板（６２，６４）の各面にある前記抵抗が前記細長い要素の延長方向に平行に一列に配置され、前記プリント基板（６２，６４）の各面にある前記複数対の抵抗の端部が、前記細長い要素の延長方向に対し斜めに傾いて平行線上に配置され、各列の前記抵抗が、前記プリント基板（６２，６４）面に対して直角に前記プリント基板（６２，６４）を通って延びる実質的にまっすぐな伝導体（１８，２０，２２，２４）によって相互に接続されている、請求項１のフィールド・プローブ。
【請求項１４】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗からなり、前記両抵抗器の抵抗が単一のプリント基板（６２，６４）に取付けられ、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が相互に撚り合わされ、前記プリント基板（６２，６４）の両面に各列の前記抵抗が交互に取付けられ、前記抵抗の抵抗値が前記中間位置からの距離とともに累進的に増加する、請求項１のフィールド・プローブ。
【請求項１５】
前記細長い要素が、前記細長い要素の中間位置であるダイポールの中心から正逆両方向に延びる２つの抵抗要素からなるダイポールアンテナであり、前記抵抗要素の少なくとも１つが前記少なくとも１つの細長い要素の全長の一部分により構成され、実質的に平行に並んで配置され２つの接近結合された抵抗器からなり、各前記抵抗器が直列に接続された複数のディスクリート抵抗からなり、前記両抵抗器の抵抗が単一のプリント基板（６２，６４）に取付けられ、前記１つの細長い要素が前記中間位置から端位置に延び、前記端位置に２つのターミナルが設けられ、一方の該ターミナルが一方の前記抵抗器の端に、他方の前記ターミナルが他方の前記抵抗器の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されており、前記２つの接近結合された抵抗器が相互に撚り合わされ、前記プリント基板（６２，６４）の両面に各列の前記抵抗が交互に取付けられ、前記抵抗の抵抗値が前記中間位置からの距離とともに累進的に増加し、各前記抵抗が間隔を置いて配置された一対のターミナルを有し、前記プリント基板（６２，６４）の各面にある前記抵抗が前記細長い要素の延長方向に平行に一列に配置され、前記プリント基板（６２，６４）の各面にある前記複数対の抵抗の端部が、前記細長い要素の延長方向に対し斜めに傾いて平行線上に配置され、各列の前記抵抗が、前記プリント基板（６２，６４）面に対して直角に前記プリント基板（６２，６４）を通って延びる実質的にまっすぐな伝導体（１８，２０，２２，２４）によって相互に接続されている、請求項１のフィールド・プローブ。
【請求項１６】
前記細長い要素の接近結合された伝導体の数が２つであり、前記接近結合された伝導体が相互に撚り合わされている、請求項１のフィールド・プローブ。
【請求項１７】
前記細長い要素の接近結合された伝導体の数が２つであり、各前記接近結合された伝導体が直列に接続された複数のディスクリート抵抗からなり、前記接近結合された伝導体が相互に撚り合わされている、請求項１のフィールド・プローブ。
【請求項１８】
前記細長い要素が、前記細長い要素の中間位置であるダイポールの中心から正逆両方向に延びる２つの伝導要素からなるダイポールアンテナであり、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記中心位置から離れた前記２つの伝導要素のうちの１つの端部で直接接続されている、請求項１のフィールド・プローブ。
【請求項１９】
前記細長い要素が、中心位置から正逆両方向に延びる２つの抵抗要素からなるダイポールアンテナであり、各前記抵抗要素が複数のディスクリート抵抗からなり、各前記抵抗要素の前記ディスクリート抵抗の抵抗値が前記中心位置からの距離とともに累進的に増加する、請求項１のフィールド・プローブ。
【請求項２０】
前記細長い要素が、前記細長い要素の中間位置であるダイポールの中心から正逆両方向に延びる２つの伝導要素からなるダイポールアンテナであり、前記伝導要素の少なくとも１つが前記少なくとも１つの細長い要素の全長の一部分により構成され、実質的に平行に並んで配置され２つの接近結合され前記中間位置から端位置に延びる伝導体からなり、前記端位置に２つのターミナルが設けられ、一方の該ターミナルが一方の前記伝導体の端に、他方の前記ターミナルが他方の前記伝導体の隣合った端に設けられており、処理回路（５４）と、第１及び第２の両端部を有する伝送線（４２，４４，４６，４８，５０，５２）を有し、前記伝送線（４２，４４，４６，４８，５０，５２）の第１端部が前記処理回路（５４）に接続され、前記伝送線（４２，４４，４６，４８，５０，５２）の第２端部が前記ダイポールアンテナに前記ターミナルで直接接続されている、請求項１のフィールド・プローブ。
【請求項２１】
前記細長い要素の各前記接近結合された伝導体が、直列に接続された複数のディスクリート抵抗からなる、請求項１のフィールド・プローブ。
【請求項２２】
前記細長い要素が、中心位置から正逆両方向に延びる２つの抵抗要素からなるダイポールアンテナであり、各前記抵抗要素の抵抗値が前記中心位置からの距離とともに累進的に増加する、請求項１のフィールド・プローブ。
【請求項２３】
ダイポールを形成する第１及び第２要素であって、前記要素が中間位置から正逆両方向に延び、各前記第１及び第２要素が少なくとも１列の直列に接続されたディスクリート抵抗を有し、前記第１要素が前記中間位置から前記中間位置から離れた前記第１要素の端まで延びる実質的に平行に並んだディスクリート抵抗（ａ，ｂ）の２つの列からなる、第１及び第２要素と、
前記第１要素の一方の列と電気的に直列に接続されている第１ダイオード（５８）と、前記第１要素の他方の列と電気的に直列に接続されている第２ダイオード（６０）と、一方の前記ダイオード（６０）のアノードと他方の前記ダイオード（５８）のカソードの間の前記中間位置にあり前記第２要素が直接接続されている結線（３０）であって、前記第１要素が、実質的に平行に並んだディスクリート抵抗の一方の列と、それに続く一方の前記ダイオード（５８，６０）と、それに続く前記結線と、それに続く他方の前記ダイオード（５８，６０）と、実質的に平行に並んだディスクリート抵抗の他方の列とからなるように配置されている、結線（３０）と、
前記第１要素の端で前記実質的に平行に並んだディスクリート抵抗の２つの列に直接接続されている、前記ダイポールからの信号を伝えるための伝送線（４２，４４，４６，４８，５０，５２）とからなる、
フィールド・プローブ。
【請求項２４】
前記実質的に平行に並んだディスクリート抵抗（ａ，ｂ）の２つの列が、軸に沿った位置で相互に撚り合わされている、請求項２３のフィールド・プローブ。
【請求項２５】
前記実質的に平行に並んだディスクリート抵抗の２つの列が軸に沿った位置で相互に撚り合わされ、前記第１及び第２要素のディスクリート抵抗（ａ，ｂ）がプリント基板（６２，６４）に取付けられている、請求項２３のフィールド・プローブ。
【請求項２６】
前記第１及び第２要素のディスクリート抵抗（ａ，ｂ）の抵抗値が、前記中間位置からの距離とともに累進的に増加する、請求項２３のフィールド・プローブ。
【請求項２７】
前記伝送線（４２，４４，４６，４８，５０，５２）がディスクリート抵抗からなる、請求項２３のフィールド・プローブ。
【請求項２８】
前記伝送線（４２，４４，４６，４８，５０，５２）がディスクリート抵抗からなり、前記第１及び第２要素のディスクリート抵抗と前記伝送線（４２，４４，４６，４８，５０，５２）がプリント基板（６２，６４）に取付けられている、請求項２３のフィールド・プローブ。
【請求項２９】
電気的に直列に接続され、軸に沿った位置で相互に撚り合わされ実質的に平行に並び、前記軸に沿って配置され長手方向でお互い離れたプローブの第１端部から第２端部へ延びるディスクリート抵抗（ａ，ｂ）の第１及び第２列と、
前記第１及び第２端部間の第１中間位置にある前記列の間の結線（３０）と、
前記第１中間位置において、前記結線の前記第１端部に最も近い側で、前記第１列に電気的に直列に接続されている第１ダイオード（５８）と、
前記第１中間位置において、前記結線の前記第１端部に最も近い側で、前記第２列に電気的に直列に接続されている第２ダイオード（６０）とを有する電磁界プローブであって、
前記結線（３０）と前記２つのダイオードからなる一連の要素において、前記第１及び第２ダイオード（５８，６０）が電気的に同じ方向に配置され、
前記各列のディスクリート抵抗が、前記第１端部と、前記第１中間位置から離れ前記第１端部と前記第１中間位置の間の前記軸に沿った位置にある第２中間位置との間にある複数のディスクリート抵抗と、前記第２及び第１前記中間位置の間にある複数のディスクリート抵抗と、前記第１中間位置と前記第２端部の間にある複数のディスクリート抵抗とからなり、
前記各列のディスクリート抵抗が、前記第１中間位置から前記第１端部に向かって少なくとも前記第２中間位置までは、前記第１中間位置からの距離が増加するとともに抵抗値が累進的に増加し、前記第２中間位置を超えて前記第１端部までは抵抗値が前記第１及び第２中間位置の間の前記抵抗の最大抵抗値を実質的に超え、前記第１中間位置から前記第２端部までは前記第１中間位置からの距離とともに抵抗値が累進的に増加し、
前記第１中間位置から前記第２中間位置まで延びるディスクリート抵抗と、前記第１中間位置から前記第２端部まで延びるディスクリート抵抗が、ともにダイポールアンテナとしての役目を果たし、前記第２中間位置と前記第１端部の間の第１及び第２列のディスクリート抵抗が、前記ダイポールアンテナからの信号を伝える伝送線（４２，４４，４６，４８，５０，５２）としての役目を果たす、
フィールド・プローブ。
【発明の詳細な説明】
【技術分野】
【０００１】
本発明は、全体として、無線アンテナに関し、特に、フィールド・プローブ(field probe)として知られる特殊な形態のアンテナの改良に関する。フィールド・プローブは、無線周波数電磁界の強度を計るために使われる。フィールド・プローブは、特に、試験下の電子装置が特定の周波数帯の強い電磁界に曝される電磁感受性(electromagnetic susceptibility)試験機を較正するのに役立つ。本発明は、特に、Ｅ−フィールド・プローブ(E-field probe)の改良に関する。
【０００２】
電磁感受性試験用Ｅ−フィールド・プローブは、全体として、処理回路を有するハウジングに取付けられた１つ以上のショートアンテナを有する。導電フィーダケーブルがあることにより生じるアンテナパターンの歪みを最小化するために、処理回路は、典型的には、検波された高周波電圧を変調光線に変換する変換器を有し、その変調光線はプローブから光ファイバケーブルを通って伝わる。光ファイバケーブルは、レーザ光線の形で、処理回路に直流動作電力を供給するために使用することもできる。
【０００３】
Ｅ−フィールド・プローブは、典型的には、１軸プローブ又は３軸プローブの形態である。いずれの場合も、１つ以上のダイポール(dipole)アンテナを利用することが好ましい。歪みを最小化するために光ファイバ光伝導体を用いるとしても、殆どのプローブ、特に、ギガヘルツ帯の周波数を含む周波数帯に亘って使用可能なプローブにおいて、処理回路をダイポールの中心に置くことは実用的ではない。それ故、従来、導電フィーダ（伝送線）を、処理回路からダイポールの中心（多軸プローブの場合には、複数のダイポールの中心）に接続することが行なわれてきた。フィーダ自体が、アンテナパターンの歪みの原因となる。従来の方法では、伝送線によって生じる歪みは高抵抗フィーダを用いて減らされる。
【０００４】
従来のＥ−フィールド・プローブも、実際には周波数にかなり依存する傾向にあり、広い周波数帯で使用するためには、関連付けられる電子回路の補正が必要とされる。さらに、従来のＥ−フィールド・プローブは、アンテナパターンが非対称となる傾向がある。非対称性は、ダイポール要素が直角をなす想像上の平面において存在し（配向非対称性）、ダイポール要素が置かれる任意に選択された想像上の平面において存在する（軸非対称性）。
【０００５】
従来のＥ−フィールド・プローブのさらなる欠点は、磁界を含む浮遊(stray) フィールドの影響を受ける傾向があるということである。
【０００６】
従って、本発明の重要な目的は、従来のプローブの上述した欠点のうち、１つ以上を克服することである。
【０００７】
要するに、本発明の好適なＥ−フィールド・プローブは１つ以上のダイポールを有し、各ダイポールが、プリント基板の一区画に取付けられ電気的に接続されるディスクリート（個別）抵抗の複数の平行な列を有する。平行な列は、配向対称性を最適にして、浮遊電磁界を拾うことを最小化するために相互に撚り合わされる。それぞれの抵抗の抵抗値は、ダイポールが本質的に非常に広い周波数帯で優れた性能が得られるテーパ型抵抗（tapered resistance）ダイポールとなるように選択される。
【０００８】
本発明の特に望ましい特徴は、ダイポールのアームの平行な列とそれぞれに接続される一対のダイオードを設け、これらのダイオードが電気的に同じ方向に相互に接続される、すなわち、一方のダイオードのカソードと他方のダイオードのアノードの間が直接接続されることである。このダイオードの構成により、ダイオードが設けられるアームの外端部から延び抵抗値が比較的高い一対の直平行の抵抗により、フィーダを構成することができる。こうして、ダイポールは、中心でフィードされるのではなく、事実上「端でフィード」(end feed)され、パターンの歪み及び軸非対称性が最小化される。
【０００９】
本発明の第１の側面によれば、フィールド・プローブは、少なくとも１つの細長い要素を有し、少なくともその全長の一部分は、相互に実質的に平行に並んで配置されている複数（好ましくは２つ）の接近結合された伝導体からなる。ここで用いられる、平行な伝導体について「接近結合された」(closely coupled)と いう文言は、伝導体が全てその延びる方向を横断する面内において、その間隔が、最大で、予定動作の最大周波数における１つの波長よりもずっと短く、換言すれば、その２０分の１以下であることを意味する。予定動作の最大周波数とは、（Ｅ面及びＨ面の両方の）アンテナパターンが、電気的に短いダイポールのパターンから著しく逸脱していない場合での最大周波数のことである。「平行に並べて」(parallel, side-by-side relationship)という文言が伝導体（抵抗列を含 む。）に関して使われるときは、伝導体同士が平行であるだけでなく、１つの伝導体の各端が、その他の各伝導体の端に隣合って位置することを意味する。
【００１０】
４.２ＧＨｚの予定動作の最大周波数を有するプローブでは、平行な伝導体が 位置する断面の最大寸法は約３.５ｍｍにすべきである。
【００１１】
細長い要素は、中間位置にあるダイポールの中心から正逆両方向に延びる２つの伝導要素（アーム）を有するダイポールアンテナであることが好ましい。伝導要素のうちの少なくとも１つは、前記少なくとも１つの細長い要素の前記全長の一部分によって構成され、相互に平行に並べて配置される２つの接近結合された伝導体からなる。これらの伝導体は、中間位置から端位置まで延びる。２つのターミナルが端位置に設けられており、２つの接近結合された伝導体のうちの一方の端に１つのターミナルがあり、２つの接近結合された伝導体の他方の隣合った端にもう１つのターミナルがある。プローブは、処理回路及び第１及び第２の両端部を有する伝送線を有する。伝送線の第１端部は処理回路に接続されており、伝送線の第２端部はターミナルでダイポールアンテナに直接接続される。２つの接近結合された伝導体は、電気的に同じ方向にダイオードを接続させる結線を有する一対のダイオードにより、中間位置で相互に接続される。もう一方の伝導要素は、前記結線に直接接続される。好適な実施形態において、伝導体は抵抗要素である。各抵抗器は、直列に接続された複数のディスクリート抵抗で構成されることが好ましい。ディスクリート抵抗は、ダイポールの中間位置からの距離とともに抵抗値が累進的に増加することが好ましい。二つの接近結合された抵抗器の場合、抵抗器が相互に撚り合わされるのが好ましい。
【００１２】
接近結合された抵抗器のそれぞれが２つの列のディスクリート抵抗からなる場合、プリント基板の両面に各列の抵抗を交互に取付けることによって、相互の抵抗の撚りを達成することが好ましい。プリント基板の各面にある抵抗は、前記細長いダイポール要素の延長方向に平行に一列に配置され、プリント基板の各面にある複数対の抵抗の端部は、細長い要素の延長方向に対し斜めに傾いて平行線上に配置される。そのとき、各列の抵抗は、プリント基板面に対して直角に、プリント基板を通って延びる実質的にまっすぐな伝導体により相互に接続されてもよい。
【００１３】
以下の詳細な説明で述べられるとおり、本発明は、小さいアンテナパターンの歪み、周波数の高い独立性、優れた対称性、及び浮遊電磁界に対するイミュニティ等の望ましい特性のうち１つ以上を有するＥ−フィールド・プローブを提供する。
【００１４】
様々な他の目的や、本発明の詳細及び利点は、図面と合わせて読めば、以下の詳細な説明から明らかとなるであろう。
【００１５】
典型的なフィールド・プローブ要素の機械的な配置が、図１に示されている。電磁界プローブ要素は、チップ抵抗の４つのセット１０，１２，１４，１６からなる。チップ抵抗は、図１には図示されていないプリント基板に取付けられる。セット１０，１４は基板の一方の面に取付けられ、セット１２，１６は基板の反対面に取付けられる。
【００１６】
抵抗は、図１に導線として示される伝導体によって電気的に接続される。図１の上部のセット１０，１２のチップ抵抗「ａ」が、伝導体１８，２０等により電気的に直列に接続され、セット１０，１２のチップ抵抗「ｂ」が伝導体２２，２４等により電気的に直列に接続される。基板の一方の面のチップは、一方向へ斜めに傾いている。基板の反対側のチップは、それとは反対方向に斜めに傾いている。チップの傾斜により、各々の抵抗の最下端部が、電気的に直列に接続された次の抵抗の最上端部の正反対側に配置される。この電気的に直列に接続された抵抗の端部間の対向関係により、伝導体はプリント基板を直に通って延び、実際には、伝導体は基板上のメッキされたスルーホールの形態をとる。
【００１７】
２つの抵抗列「ａ」及び「ｂ」が相互に撚り合わされ、電気抵抗を有するツイストペアが形成されることが、図１より明らかとなるであろう。
【００１８】
抵抗セット１４，１６は、同様に、抵抗列「ａ」と抵抗列「ｂ」からなり、抵抗列「ａ」及び「ｂ」が相互に撚り合わされるように、電気接続が基板を通ってなされている。
【００１９】
図１の中間部に示されるように、抵抗チップ２６（「ｂ」チップ）は、一体化２相ダイオードパッケージ３２の共通ターミナルにも接続される伝導体３０によって、直接抵抗チップ２８（「ａ」チップ）に接続される。一方のダイオードのアノードは、基板上の伝導体３４を経由して、セット１４の「ａ」抵抗３６に接続される。他方のダイオードのカソードは、伝導体３８を経由して、セット１６の「ｂ」抵抗４０に接続される。
【００２０】
抵抗及びダイオードの電気配列が、図２に示されている。実際には、内部結線３０より上の抵抗がダイポールの一方のアームを構成し、ダイオードの下の抵抗がダイポールの他方のアームを構成する。ダイオードから離れたいくつかの抵抗、すなわち、抵抗４２〜５２は、撚り合わされたフィーダとして用いられ、受信した無線信号をフレキシブル光ファイバ光伝導体５６によって届けられる光信号に好適に変換する処理回路５４にダイポールアンテナを接続する。光ファイバ光伝導体は電気伝導しないので、プローブのアンテナパターンへの影響は殆どない。
【００２１】
ダイポールを構成するディスクリート抵抗の抵抗値は、動作周波数帯に亘りアンテナ全体をテーパ型抵抗ダイポールに近づくように変化することが好ましい。抵抗値は、ダイオードが位置するダイポールの中心からの距離とともに増加する。テーパ型抵抗ダイポールは、神田元久著『Standard Antennas for Electromagnetic Interference Measurements and Methods to Calibrate Them， IEEE Transactions on Electromagnetic Compatibility, Vol. 36, No. 4, November 1994』に記載されている。神田氏の論文は、参照として、ここに一体化される。
【００２２】
例えば、抵抗２６，２８，３６，４０の標準値は、６８Ωである。各列の６つの抵抗の抵抗値は、典型的には、ダイポールの中心から先端に向かって、順に、６８Ω、８２Ω、１００Ω、１５０Ω、２７０Ω、５６０Ωである。これらは、約４ＧＨｚから５ＧＨｚの間の最大動作周波数を有するように設計されるプローブにおける抵抗値である。プローブの予定上限周波数に基づいて、各々のダイポールの大きさ及び抵抗の抵抗値を変動させてもよい。
【００２３】
ダイポールの中心から外に向かい抵抗値が低い値から高い値へ増加する抵抗によりダイポール要素を形成することで達成される、テーパ型抵抗負荷は、広い周波数帯で反応するプローブを提供し、アンテナの自然共鳴周波数の作用を抑える。各要素を構成する接近結合された複数の抵抗列を用いることで、比較的厚いダイポール要素と同様の効果を奏し、プローブの感度をさらに向上させる。
【００２４】
フィーダ抵抗４２〜５２は非常に高い抵抗値を有するべきであり、抵抗４２，４８はそれぞれ典型的には２ＭΩの抵抗値を有し、抵抗４４，５０，４６，５２はそれぞれ典型的には３９０ＫΩの抵抗値を有する。
【００２５】
図１に示されているように、基板の両面に抵抗を取付けることにより、抵抗列を相互に撚り合わせることができる。フィーダを形成する抵抗列は、ダイポール要素を形成する抵抗列と同様に相互に撚り合わされる。フィーダの抵抗列の撚りは、関係のない電磁場を拾うことを少なくさせる。ダイポール要素を形成する抵抗列の撚りは、長手方向軸のまわりのダイポールの回転対称性を向上させる。フィーダに隣合うダイポール要素が２つ以上の抵抗列からなることは重要であるが、勿論、フィーダから離れたダイポール要素を１つの抵抗列で構成することは可能である。しかし、両方のダイポール要素を、対称性のために同一に撚り合わされた抵抗列で形成するのが好ましい。
【００２６】
ダイポールの各アームにおける抵抗列の数を変更することは、可能である。例えば、４つのダイオードがダイポールの中心に直列で（電気的に同方向に接続されて）設けられる場合、処理回路を第１ダイポールアームの二つの平行した抵抗列を経由して直列のダイオードの外端部に接続し、第３の抵抗列を第２及び第３ダイオードの接続部に一端を接続し、他端を自由端とすることで、第１ダイポールアームに第３の列を構成できる。もう一つのダイポールアームは、第１及び第２ダイオードの間及び第３及び第４ダイオードの間の接続にそれぞれ接続された２つの平行した抵抗列からなる。このように、この変更で、ダイポールは、一方のアームに３つの抵抗列を、他方のアームに２つの抵抗列を有する。
【００２７】
本発明の好適な実施形態の重要な特徴は、ダイポールの中心に、一対のダイオード５８，６０を設けることである。これらのダイオードは、電気的に直列に同じ方向に相互に接続されており、フィーダに隣合ってダイポール要素を形成する抵抗列と直列にそれぞれ配置される。ダイオードは、検波器としてともに作動し、ダイポールが曝される電界の強さに応じて変化する直流出力信号を処理回路５４に出力する。
【００２８】
ダイオードからの直流信号を伝える２つの伝導体からなるフィード線を有し、中心に検波器として単一のダイオードを有する抵抗ダイポールの場合には、ダイポールが１８０°反転すると、ダイオードが２乗領域（square law region）で作動していない限り所定の電磁場に対して異なった応答信号を出力してしまう。
【００２９】
図２に示すように、本発明の好適な実施形態のダイオードは実際は相互に直列に接続されるが、直列に接続される抵抗要素においては反対方向に配置される。２つのダイオードが反対方向にある結果、対称性が得られ、ダイポールの向きが逆になったとき、すなわち、図１及び図２のダイポールが１８０°引っくり返りダイオードが２乗領域の外で作動している場合であっても、所定の電界に対する検出された応答信号を同一にすることができる。
【００３０】
中心に位置する一対のダイオードがあることで、フィーダをダイポールの外端部のうちの１つに接続でき、それにより、ダイポールの中心に接続される別のフィーダが不要になり、ダイポールのアンテナパターンの軸対称性に対する別のフィーダの悪影響を除去することができるというさらなる利点が得られる。また、中心に位置する一対のダイオードがあることで、いくつかの応用において有利な、低周波で増加された応答信号を出力できるという潜在的な利点も得られる。
【００３１】
前述したように、ダイポールのディスクリート抵抗とフィーダを基板上へ取付けると、相互に撚り合わされ、接近結合された一対の抵抗伝導体を具えたダイポールを簡便に提供することができる。また、それにより、処理回路、ダイポール及びフィーダ抵抗を、図３及び図４に示すように、単一の基板上に取付けることができる。基板は、図３に示すように、処理回路の様々な構成要素が取付けられる広い部分６４の一端から外に向かって延びる、細長く狭い部分６２を有して形成してもよい。典型的なプローブにおいて、処理回路は、増幅回路及び圧縮回路を有し、信号を光ファイバ光伝導体５６（図２）経由でコンピューターで利用可能なフォーマットに変換するＡ／Ｄ変換器（図示せず。）に伝えることができるように、ダイポールの直流応答信号を光信号に変換する変換器を有する。
【００３２】
いくつかの方法で、処理回路へ電力を供給することができる。例えば、バッテリ電源を有してもよいし、外部レーザー又はその他の光源から光伝導体を通して処理回路に伝わる光線により通電される基板上の光電池から電力を得てもよい。
【００３３】
１軸プローブの場合、図５に示すように、処理回路をハウジング６５内で有してもよい。
【００３４】
３つの軸における電界を計測できるように、複数のプローブは３つの相互に直交するダイポールを有するプローブとして一体化させることができる。
【００３５】
そのような一体化が図６に示されており、ダイポール６６，６８，７０は処理回路を具えた球面ハウジング７２からｘ、ｙ及びｚ軸に沿ってそれぞれ延びる。ダイポール６６，６８は、単一のプリント基板上に形成することができる。
【００３６】
図７に示されるもう１つの三次元電界プローブは、図５に示される型の３つの別々のプローブ７４，７６，７８を有し、それらは、相互に直交するように配置され、互いにダイポールの中心の辺りで交差する。
【００３７】
上記のプローブにおいて、様々な変更が可能である。例えば、フィーダを形成するディスクリート抵抗の数と同様に、各々のダイポールを形成するディスクリート抵抗の数を変えることができる。処理回路が小さい場合、フィーダ抵抗の数を減らすこともできるし、フィーダを完全に省くこともできる。
【００３８】
例えば、撚り合わされたディスクリート抵抗からなるダイポールアームで、フィーダをダイポールアームの外端に接続させない等の本発明の特定の特徴から利点が得られる。例えば、処理回路を小さくする場合、ダイポールアームの端ではなく、ダイポールの中心近くに処理回路を置くことが可能である。さらに、非常に小さい処理回路が使われる場合、処理回路をダイポールの中心の位置の基板上に設けることができる。
【００３９】
さらに、特許請求の範囲に記載の本発明の範囲内から逸脱しない、上記の装置及び方法のその他の変更が可能である。
【図面の簡単な説明】
【００４０】
【図１】本発明のテーパ型抵抗要素である、典型的な撚り合わされたディスクリート抵抗の機械的な配置を示す概略図。
【図２】同要素の電気回路図。
【図３】要素の抵抗及び関連付けられた処理回路が取付けられたプリント基板を含む、撚り合わされたディスクリート抵抗（テーパ型抵抗要素）を示す正面立面図。
【図４】図３の装置の背立面図。
【図５】撚り合わされたディスクリート抵抗（テーパ型抵抗要素）を有する単一要素プローブの立面図。
【図６】３つの相互に直交する撚り合わされたディスクリート抵抗（テーパ型抵抗要素）を有する３要素プローブの斜視図。
【図７】３要素プローブの別の形態の斜視図。
【図２】
2005505962.tif 000003
【国際公開パンフレット】
2005505962.tif 000004
2005505962.tif 000005
2005505962.tif 000006
2005505962.tif 000007
2005505962.tif 000008
2005505962.tif 000009
2005505962.tif 000010
2005505962.tif 000011
2005505962.tif 000012
2005505962.tif 000013
2005505962.tif 000014
2005505962.tif 000015
2005505962.tif 000016
2005505962.tif 000017
2005505962.tif 000018
2005505962.tif 000019
2005505962.tif 000020
2005505962.tif 000021
2005505962.tif 000022
2005505962.tif 000023
2005505962.tif 000024
2005505962.tif 000025
2005505962.tif 000026
2005505962.tif 000027
2005505962.tif 000028
2005505962.tif 000029
2005505962.tif 000030
2005505962.tif 000031
2005505962.tif 000032
2005505962.tif 000033
2005505962.tif 000034
2005505962.tif 000035
2005505962.tif 000036
2005505962.tif 000037
2005505962.tif 000038
2005505962.tif 000039
2005505962.tif 000040
2005505962.tif 000041
2005505962.tif 000042
2005505962.tif 000043
【国際調査報告】
2005505962.tif 000044